(57)【要約】      （修正有）【課題】低センター減圧ブラジャーを提供する。【解決手段】二つのカップ１１、アンダーベルト１２、二つのサイドベルト１４、及び二つのストラップ１５を備える。ブラジャー１０の二つのカップ１１はそれぞれ、アンダーベルト１２の内側縁に連結し、二つのカップとアンダーベルト間にはＷ弦ワイヤー１３を連結する。二つのサイドベルト１４はそれぞれ、アンダーベルトの外側縁に連結し、アンダーベルトと二つのサイドベルト１４の上部縁と底縁それぞれと二つのサイド布１と底布２を縫い合わせて一体にする。二つのストラップ１５の一端を二つのカップ１１の上端縁に連結させ、二つのストラップ１５の別の一端を二つのサイドベルト１４に連結させる。ブラジャーの二つのカップ間が互いに繋がっていない故、そこに三角形くりぬき部が形成される。この三角形のくりぬき部によって、ブラジャーを着用した時、低センターの快適感及び減圧作用が生じるのと同時に、深い谷間ができてセクシー効果も得られる。【選択図】図１
0003207226.tif 000002
【実用新案登録請求の範囲】
【請求項１】
二つのカップ、アンダーベルト、二つのサイドベルト、及び二つのストラップを備える低センター減圧ブラジャーであって、
前記ブラジャーの二つの前記カップはそれぞれ、前記アンダーベルトの内側縁に連結し、二つの前記カップと前記アンダーベルト間にはＷ弦ワイヤーを連結し、二つの前記サイドベルトはそれぞれ、前記アンダーベルトの外側縁に連結し、前記アンダーベルトと二つの前記サイドベルトの上部縁と底縁それぞれと二つのサイド布と底布を縫い合わせて一体にし、二つの前記ストラップの一端を二つの前記カップの上端縁に連結させ、二つの前記ストラップの別の一端を二つの前記サイドベルトに連結させ、
前記ブラジャーの二つの前記カップ間が互いに繋がっていない故、そこに三角形くりぬき部が形成されることを特徴とする低センター減圧ブラジャー。
【請求項２】
内側縁の二つの前記カップと外側縁の二つの前記サイドベルト間にある前記ブラジャーの前記アンダーベルトにはネット状の複数のプラスチックバッグを設け、複数の前記プラスチックバッグには４５度をなす複数の第一プラスチックを備えることを特徴とする請求項１に記載の低センター減圧ブラジャー。
【請求項３】
内側縁の二つの前記カップと外側縁の二つの前記サイドベルト間にある前記ブラジャーの前記アンダーベルトには複数の前記プラスチックバッグを設け、複数の前記プラスチックバッグには９０度をなす複数の第二プラスチックを備えることを特徴とする請求項１に記載の低センター減圧ブラジャー。
【請求項４】
二つの前記カップ上端に対応する前記ブラジャーの前記アンダーベルトの外側縁に副乳サイド片を設けることを特徴とする請求項１に記載の低センター減圧ブラジャー。
【考案の詳細な説明】
【技術分野】
【０００１】
本考案は、ブラジャーのストラップによる肩への圧力を減少させる低センター減圧ブラジャーを提供する。
【背景技術】
【０００２】
従来のブラジャーは、二つのカップ、一つのアンダーベルト、二つのワイヤー、二つのサイドベルト、及び二つのストラップを備える。また、従来のブラジャーは、主に二つのカップそれぞれをアンダーベルトの内側縁に連結し、二つのカップとアンダーベルトの間にワイヤーを連結し、二つのサイドベルトのそれぞれをアンダーベルトの外側縁に連結し、二つのストラップの一端を二つのカップの上端縁に連結し、二つのストラップの別の一端を二つのサイドベルトに連結し、ブラジャーの二つのカップの間を連結し、アンダーベルトの中間にはセンター区を設けている。
【考案の概要】
【考案が解決しようとする課題】
【０００３】
しかし、従来のブラジャーは、着用時にアンダーベルト中間のセンター区がちょうど胸部に位置するため、圧迫されて、不快感を感じることがよくある。特に、長時間ブラジャーを着用すると、大きな圧力により胸部が窮屈になり、呼吸がスムーズでなくなる等の症状が引き起こされる。この一つ目の欠点を克服し解決することが課題である。
【０００４】
また、従来のブラジャーは、着用時、二つのカップの外側縁のサポート作用が欠けているため、胸部を中心に寄せることができない。この二つ目の欠点を克服し解決することも課題である。
【０００５】
同時に、従来のブラジャーは、着用時、二つのカップ上端の外側縁に包み込み作用がないため、副乳が出てしまう。この三つ目の欠点を克服し解決することも課題である。
【０００６】
本創作人は現在、関連製品の製造、設計に携わり、長年の実務経験と反省を積み重ね、従来のブラジャーのストラップが肩に圧力を与えることで生じる問題点に対し、積極的に創作及び改良精神をつぎ込み完成した本考案の低センター減圧ブラジャーによって前述の欠点を解決する。
【課題を解決するための手段】
【０００７】
本考案によって第一の欠点を解決するのに応用する技術手段及び従来技術と比較した第一効果は、次のとおりである。つまり、ブラジャーの二つのカップの間が互いに繋がっていない故、そこに三角形くりぬき部が形成される。この三角形のくりぬき部の設計によって、女性がブラジャーを着用した時、低センターの快適感及び減圧作用が生じるのと同時に、深い谷間ができてセクシー効果も得られる。以上のように効果の向上によって第一目的を実現する。
【０００８】
本考案によって第二の欠点を解決するのに応用する技術手段及び従来技術と比較した第二効果は、次のとおりである。つまり、内側縁の二つのカップと外側縁の二つのサイドベルトの間にあるブラジャーのアンダーベルトにはネット状の四つのプラスチックバッグを設け、四つのプラスチックバッグには４５度をなす二つの第一プラスチック及び９０度をなす二つの第二プラスチックを備える。四つの第一プラスチック及び第二プラスチックの働きにより、女性がブラジャーを着用する際、支持作用及び胸部を寄せるという安定した二重効果を生じさせ、しかも第一プラスチック及び第二プラスチックを露出させることがない。以上のように効果の向上によって第二目的を実現する。
【０００９】
本考案によって第三の欠点を解決するのに応用する技術手段及び従来技術と比較した第三効果は、次のとおりである。つまり、二つのカップの上端に対応するブラジャーのアンダーベルトの外側縁に副乳サイド片を設ける。この副乳サイド片によって、女性がブラジャーを着用する際に効果的に包み込む効果を発揮する。以上のように効果の向上によって第三目的を実現する。
【図面の簡単な説明】
【００１０】
【図１】本考案の一実施形態による低センター減圧ブラジャーの立体分解図である。
【図２】本考案の一実施形態による低センター減圧ブラジャーの組立図である。
【図３】図２のＦ−Ｆ断面図である。
【図４】図２のＪ−Ｊ断面図である。
【図５】図２のＰ−Ｐ断面図である。
【図６】本考案の一実施形態による低センター減圧ブラジャー着用時の低センターと谷間ができた状態を示す図である。
【図７】本考案の一実施形態による低センター減圧ブラジャー着用時の支持と胸部が寄せられた状態を示す図である。
【図８】本考案の一実施形態による低センター減圧ブラジャー着用時の包み込み状態を示す図である。
【考案を実施するための形態】
【００１１】
本考案の実施形態による低センター減圧ブラジャーを図面に基づいて説明する。
（一実施形態）
図１は、本考案の実施形態による低センター減圧ブラジャーの立体分解図、図２は、本考案の一実施形態による低センター減圧ブラジャーの組立図、図３は図２のＦ−Ｆ断面図、図４は図２のＪ−Ｊ断面図、図５は図２のＰ−Ｐ断面図である。主に、ブラジャー１０は左右二つのカップ１１、前後二つのアンダーベルト１２、Ｗ弦ワイヤー１３、左右二つのサイドベルト１４、左右二つのストラップ１５を備える。
【００１２】
ブラジャー１０の二つのカップ１１はそれぞれ、二つのアンダーベルト１２の内側縁に連結し、二つのカップ１１と二つのアンダーベルト１２間にはＷ弦ワイヤー１３を連結する。二つのサイドベルト１４はそれぞれ、二つのアンダーベルト１２の外側縁に連結し、二つのアンダーベルト１２と二つのサイドベルト１４の上部縁と底縁それぞれと二つのサイド布１と底布２を縫い合わせて一体にする。二つのストラップ１５の一端を二つのカップ１１の上端縁に連結させ、二つのストラップ１５の別の一端を二つのサイドベルト１２に連結させる。ブラジャー１０の二つのカップ１１間が互いに繋がっていない故、三角形くりぬき部Ａが形成される。この三角形のくりぬき部Ａの設計により、女性がブラジャー１０を着用した時、低センターの快適感及び減圧作用が生じると同時に、深い谷間のセクシー効果が得られる。また、内側縁のカップ１１と外側縁の二つのサイドベルト１４間にある二つのアンダーベルト１２にはネット状で一体成形の四つのプラスチックバッグ１６を設け、四つのプラスチックバッグ１６には４５度をなす二つの第一プラスチック１７及び９０度をなす二つの第二プラスチック１８を備える。四つの第一プラスチック１７及び第二プラスチック１８の働きにより、女性がブラジャー１０を着用する際、支持作用及び胸部を寄せるという安定した二重効果を生じさせ、しかも第一プラスチック１７及び第二プラスチック１８を露出させることがない。また、二つのカップ１１上端に対応するアンダーベルト１２の外側縁に副乳サイド片１９を設ける。この副乳サイド片１９によって、女性がブラジャー１０を着用する際に効果的に包み込む効果を実現する。
【００１３】
前述したような各構成要素を組み合わせて作り出される本考案は、低センター減圧ブラジャーを提供するものであり、実際の操作は次のとおりである。
【００１４】
図５を参照する。図５は本考案着用時の低センターと胸部の谷間を示した図である。使用者がブラジャー１０を着用した際、三角形のくりぬき部Ａの設計により、低センターの快適性、減圧作用、谷間ができてセクシー効果を生じさせる。
【００１５】
図６は本考案着用時の支持状態及び胸部を寄せた状態を示した図である。使用者がブラジャー１０を着用する際、四つの第一プラスチック１７及び第二プラスチック１８によって、支持作用と胸部を寄せる作用という安定した二重効果を生じさせる。
【００１６】
図７は、本考案の着用時における包み込み状態を示す図である。使用者がブラジャー１０を着用する際、副乳サイド片１９によって安定的な包み込み効果を生じさせる。
【００１７】
前述から理解されるように、本考案の低センター減圧ブラジャーは、創作人が実際に製作した後にテストを繰り返し、本考案の予期する効果を確実に達成することを証明したものであり、現在市場には見られない初めての創作である。よって産業利用価値を備え、実用新案の実用性及び新規性という条件を満たすものである故、特許法の規定に基づいてここに出願を行う。
【符号の説明】
【００１８】
１    サイド布、
２    底布、
１０    ブラジャー、
１１    カップ、
１２    アンダーベルト、
１３    Ｗ弦ワイヤー、
１４    サイドベルト、
１５    ストラップ、
１６    プラスチックバッグ、
１７    第一プラスチック、
１８    第二プラスチック、
１９    副乳サイド片、
Ａ    三角形くりぬき部。
【図１】
0003207226.tif 000003
【図２】
0003207226.tif 000004
【図３】
0003207226.tif 000005
【図４】
0003207226.tif 000006
【図５】
0003207226.tif 000007
【図６】
0003207226.tif 000008
【図７】
0003207226.tif 000009
【図８】
0003207226.tif 000010